(57)【特許請求の範囲】
【請求項１】
敷居溝に沿って開閉動作を行うエレベータドアと、ドア開閉の駆動力を発生させるドア開閉用モータと、ドア開閉動作中の前記モータにかかる過負荷を検出する過負荷検出手段と、過負荷検出状態が第１の所定時間継続したときドア開閉動作を反転させる開閉動作反転手段を備えたエレベータドア制御装置において、
過負荷検出によるドア開閉反転動作回数をカウントする反転回数計数手段と、
ドア開閉指令がオンされてドア開閉動作が開始されてから、前記ドア開閉動作が完了する前に、過負荷検出によるドア反転回数が第１の所定回数に達したとき、ドア開閉の最高速度を低減させる開閉速度低減手段を備え、
前記ドア開閉の最高速度を低減させた後のドア開閉動作中に再び前記モータにかかる過負荷を検出し、この過負荷状態が前記第１の所定時間よりも長い第２の所定時間を経過したとき、ドア開閉動作を反転させる第２の開閉動作反転手段を備えたことを特徴とするエレベータドア制御装置。
【請求項２】
請求項１において、過負荷検出によるドア反転回数が、前記第１の所定回数よりも多い第２の所定回数に達したとき、ドア開閉動作を中止することを特徴とするエレベータドア制御装置。
【請求項３】
請求項２において、過負荷検出によるドア反転回数が、前記第２の所定回数に達したとき、エレベータかご内のドア開閉釦を点滅させることを特徴とするエレベータドア制御装置。
【請求項４】
請求項２または３において、過負荷検出によるドア反転回数が、前記第２の所定回数に達したとき、保守員を呼び出すための警報を発することを特徴とするエレベータドア制御装置。
【請求項５】
請求項２〜４のいずれかにおいて、過負荷検出によるドア反転回数が、前記第２の所定回数に達した後に、ドア開釦またはドア閉釦が所定時間（５ｓ）以上継続して押下されたとき、ドア開指令またはドア閉指令を活かしてドア開またはドア閉動作に再トライすることを特徴とするエレベータドア制御装置。
【請求項６】
敷居溝に沿って開閉動作を行うエレベータドアに対し、ドア開閉用モータによりドア開閉の駆動力を発生させ、ドア開閉動作中の前記モータにかかる過負荷を検出し、過負荷検出状態が第１の所定時間継続したときドア開閉動作を反転させるエレベータドア制御方法において、
ドア開閉指令がオンされてドア開閉動作が開始されてから、前記ドア開閉動作が完了する前に、過負荷検出によるドア開閉反転動作回数をカウントし、ドア反転回数が第１の所定回数に達したとき、ドア開閉の最高速度を低減させるステップと、前記ドア開閉の最高速度を低減させた後のドア開閉動作中に再び前記モータにかかる過負荷を検出し、この過負荷状態が前記第１の所定時間よりも長い第２の所定時間を経過したとき、ドア開閉動作を反転させる第２の開閉動作反転ステップを備えたことを特徴とするエレベータドア制御方法。
【発明の詳細な説明】
【技術分野】
【０００１】
本発明は、エレベータドア制御装置および制御方法に関し、特に、ドア開閉動作中の過負荷によるドア反転時に対応するエレベータドア制御装置および制御方法に係る。
【背景技術】
【０００２】
本技術分野の背景技術として、特許文献１がある。この公報には、エレベータドア開閉における過負荷検出を所定回検出すると、閉扉動作時においては開扉保持時間を延長し、開扉動作時においては閉扉保持時間を延長することが開示されている。エレベータのドア開閉制御において、乗客がドアに挟まれることを想定し、過負荷を検出した場合に開閉動作を反転する機能がある。ドア敷居溝に異物が存在し、これがドア開閉動作を妨げ、過負荷検出に至り、本機能が動作し、反転動作に至った場合、敷居溝の異物が取り除かれない限り、反転動作を繰り返すこととなる。特許文献１では、このような繰り返し動作の回数をカウントし、所定回数に達すると、異物により完了できない開閉動作を中止する機能である。
【０００３】
また、特許文献２には、過負荷による反転後に、再度開閉動作を繰り返す際に、扉開閉用モータ駆動力を増加させることが開示されている。これは、ドア敷居溝に異物が存在する場合に、ドア開閉モータ駆動力を増すことで、モータ駆動力による異物除去を試みるものである。
【先行技術文献】
【特許文献】
【０００４】
【特許文献１】特開平１−２８５５８０号公報
【特許文献２】特開平９−３０９６８２号公報
【発明の概要】
【発明が解決しようとする課題】
【０００５】
エレベータドア敷居溝に異物が存在し、ドア開閉動作が妨げられている場合、従来のドア開閉制御では、異物を取り除く方法として、モータ駆動力を増加させる方法があるが、これは、モータ駆動力増加時の乗客の挟まれといった安全面について考慮されていない。
【０００６】
本発明は、乗客の安全性を考慮した上でドア敷居溝の異物を除去する機会を増加させることができるエレベータドア制御装置および制御方法を提供することを目的とする。
【課題を解決するための手段】
【０００７】
本発明の望ましい実施態様においては、敷居溝に沿って開閉動作を行うエレベータドアと、ドア開閉の駆動力を発生させるドア開閉用モータと、ドア開閉動作中の前記モータにかかる過負荷を検出する過負荷検出手段と、過負荷検出状態が第１の所定時間継続したときドア開閉動作を反転させる開閉動作反転手段を備えたエレベータドア制御装置において、過負荷検出によるドア開閉反転動作回数をカウントする反転回数計数手段と、ドア開閉指令がオンされてドア開閉動作が開始されてから、前記ドア開閉動作が完了する前に、過負荷検出によるドア反転回数が第１の所定回数に達したとき、ドア開閉の最高速度を低減させる開閉速度低減手段を備え、前記ドア開閉の最高速度を低減させた後のドア開閉動作中に再び前記モータにかかる過負荷を検出し、この過負荷状態が前記第１の所定時間よりも長い第２の所定時間を経過したとき、ドア開閉動作を反転させる第２の開閉動作反転手段を備えたことを特徴とする。
【０００９】
また、本発明の望ましい実施態様においては、更なる過負荷検出によるドア反転動作が前記第１の所定回数よりも多い第２の所定回数に達すると、ドア開閉動作を中止し、ドア開閉ボタンを点滅させることを特徴とする。
【発明の効果】
【００１０】
本発明の望ましい実施態様によれば、エレベータのドア開閉動作において、その動作を所定回数繰り返した後は、ドア開閉速度を低くすることで乗客のドア挟まれに対する安全性を確保するとともに、過負荷検出から反転動作に至る時間を増加させることで、より長い時間、敷居溝の異物に低速にてドアモータ駆動力を伝えることができるため、異物除去の可能性を高めることができる。
【００１１】
また、上記動作にて、異物除去が不可能でさらなる反転を繰り返した後には、ドア開閉動作を中止し、ドア開閉ボタンを点滅させることにより、ドア開閉動作が不可能であることを利用客に認識させる。これにより、ドア開閉動作が不可能であることを認識した利用客による異物除去作業を期待できる。
【００１２】
本発明のその他の目的と特徴は、以下に述べる実施例の説明において明らかにする。
【図面の簡単な説明】
【００１３】
【図１】本発明の一実施例によるエレベータドア制御装置の制御ブロック図である。
【図２】本発明の一実施例によるエレベータドア制御装置における過負荷検出時のドア開閉制御部の処理を説明するフローチャートである。
【発明を実施するための形態】
【００１４】
以下、図面を用いて本発明の一実施例について説明する。
【００１５】
本実施例では、エレベータドア敷居溝に異物が混入した場合のドア閉動作例を説明する。
【００１６】
図１は、本発明の一実施例によるエレベータドア制御装置の制御ブロック図である。
【００１７】
ドア開閉制御装置の演算部２００は、マイクロコンピュータによって構成される制御機能である。
【００１８】
エレベータのドア１０２は、かごに取り付けられたドアモータ１０１が発生する駆動力によってドア敷居溝に沿って開閉動作する。ドアモータ１０１は、ドアモータ駆動装置１００からのモータ電流３１３によって駆動力を得る。ドアモータ駆動装置１００は、電流指令値演算部２０４からのモータ電流指令値３０５に基づいたモータ電流３１２をドアモータ１０１に供給している。このモータ電流指令値３０５は、ドアトルク指令値演算部２０３が出力するトルク指令値３０４に基づいて決定される。
【００１９】
ドアトルク指令値３０４は、ドア速度指令値演算部２０２のドア速度指令値３０３と、ドアモータ１０１に取り付けられたドアモータ速度検出器１０３からのドア速度帰還値３０９に基づいて決定される。ドア速度指令値３０３とドア速度帰還値３０９が乖離している場合、ドア速度帰還値３０９がドア速度指令値３０３に近づく方向にトルク指令値３０４を増加または減少させるドア速度制御を行っている。
【００２０】
本制御を実施している中で、トルク指令値３０４が一定値以上となった場合、過負荷検出部２０８にて過負荷を検出する。この過負荷検出は、ドアに異物がはさまり、ドア開閉動作が妨げられている状態を検出することを目的としており、上述の過負荷検出と判断するトルク指令値とは、正常なドア動作に必要なドアモータトルクよりも大きなドアモータトルクに相当するトルク指令値である。
【００２１】
過負荷検出部２０８にて過負荷を検出した場合、過負荷検出信号３１０が反転指令作成部２０７に送信される。反転指令作成部２０７は、過負荷検出信号３１０の受信が一定時間継続した場合に、反転指令３０６をドア開閉指令作成部２０１、ドア速度指令値演算部２０２、およびドア釦点滅制御部２０９に送信する。
【００２２】
ドア速度指令値３０３は、ドア開閉指令作成部２０１からのドア開指令３０１またはドア閉指令３０２をトリガとし、ドア速度帰還値３０９に基づいてドア位置演算部２０６にて算出するドア位置３０８、並びに反転動作カウンタ２０５からの反転回数３０７等を斟酌して、ドア速度指令値演算部２０２にて作成される。
【００２３】
ドア開指令３０１およびドア閉指令３０２は、エレベータの状態、ドア開釦１０５からのドア開釦押下信号３１５、ドア閉釦１０４からのドア閉釦押下信号３１３、反転指令３０６、反転回数３０７に応じて、ドア開閉指令作成部２０１が決定する。
【００２４】
ドア釦点滅制御部２０９は、反転回数３０７に応じて、エレベータかご内のドア開釦１０５を点滅させる点滅信号３１１や、ドア閉釦点滅信号３１２を制御する。ドア開釦１０５は、ドア開釦点滅信号３１１を受けて、ドア開釦を点滅させる。ドア閉釦１０４は、ドア閉釦点滅信号３１２を受けて、ドア閉釦を点滅させる。
【００２５】
図２は、本発明の一実施例によるエレベータドア制御装置における過負荷検出時のドア開閉制御部の処理を説明するフローチャートである。この図は、煩雑化を避けるために、ドア閉動作のみについて示しており、ドア開動作についても、「閉」と「開」を入れ替えて、全く同様の処理が実行される。以下に、エレベータドア敷居溝に異物が混入した場合のドア閉動作のみについて説明する。
【００２６】
はじめに、ステップ５０１にて、ドア閉指令をオンにする。このとき、ステップ５０２での反転回数のカウント値の判定は０であるので、ステップ５０３にてドア閉動作を開始する。ステップ５０４では、ドア閉動作が完了する前に、異物によりドア閉動作が妨げられ、過負荷を検出したかを判定する。過負荷を検出し、ステップ５０５にて、過負荷検出状態が１２０［ｍｓ］継続したと判定すると、ステップ５０６にて、ドア開閉の反転動作指令がオンする。ステップ５０７では、ドア開閉指令作成部２０１は反転指令を受けて、ドア開指令をオンに切り替える。これにより、ステップ５０８にてドアは開動作を行う。
【００２７】
ステップ５０９でドア開動作の完了後、ステップ５１０で、反転動作カウンタは、反転回数を１回カウントアップする。
【００２８】
このとき、ステップ５１１にて反転回数を確認するが、今は１であるから、ステップ５０１に戻って、ドア閉指令をオンに切り替える。
【００２９】
以後、敷居溝の異物が除去されない限り、ステップ５０１〜５１１の動作を１０回繰り返す。
【００３０】
反転回数が１０回となった場合、ステップ５０２の判断により、ステップ５１４に分岐して、低速でドア閉動作を実施する。ドア閉動作の最高速度を低くすることで、利用客のドア挟まれに対する安全性を高める。
【００３１】
しかし、ステップ５１５において、ドア閉動作が完了する前に、異物によりドア閉動作が妨げられると、過負荷を検出する。そして、前述したステップ５０５での第１の所定時間（例えば、１２０［ｍｓ］）よりも長い、例えば、５［ｓ］間、過負荷検出状態が継続すると、ステップ５１６にてこれを検出し、ステップ５１７にてドア開閉の反転動作指令がオンする。
【００３２】
このように、過負荷検出から反転動作に至る時間を長くすることで、より長い時間、敷居溝の異物にドアモータ駆動力を伝えることができるため、異物除去の可能性が高まる。
【００３３】
さて、反転動作指令を受けて、ステップ５１８でドア開指令をオンに切り替える。すると、今度は、ステップ５１９により、ドアは低速で開動作を行う。
【００３４】
以後、敷居溝の異物が除去されない限り、ステップ５０１，５０２，５１４〜５１９，５０９〜５１１の動作を１０回繰り返す。
【００３５】
反転回数が２０回となった場合は、ステップ５１１の分岐により、ステップ５１２に移って、ドア開状態を保持し、ドア故障と判断して保守員を呼び出すための警報を発し、ドア閉釦を点滅させる。ドア閉釦の点滅により、ドア開閉動作が不可能であることを認識した利用客による異物除去が期待できる。さらに、ステップ５１３では、このドア開保持状態で、利用客によるドア閉釦押下連続５［ｓ］を検出した場合、ステップ５０１に移ってドア閉指令をオンして、再度、ドア閉動作を試みる。
【００３６】
ステップ５２０にて、敷居溝の異物が除去されて、ドア閉動作が完了した場合は、ステップ５２１で反転回数を０にリセットし、この処理を終了する。
【００３７】
前述したように、以上は、ドア閉動作の処理フローであるが、すべての「開」と「閉」を逆に書き替えれば、ドア開動作の処理フローとなり、全く同様の処理が実行できる。
【符号の説明】
【００３８】
１００…ドア、１０１…ドアモータ、１０２…モータ駆動装置、１０３…速度検出器、１０４…ドア閉釦、１０５…ドア開釦、２００…ドア開閉制御装置演算部、２０１…ドア開閉指令作成部、２０２…ドア速度指令値演算部、２０３…ドアトルク指令値演算部、２０４…電流指令値演算部、２０５…反転動作カウンタ、２０６…ドア位置演算部、２０７…反転指令作成部、２０８…過負荷検出部、２０９…ドア釦点滅制御部、３０１…ドア開指令、３０２…ドア閉指令、３０３…ドア速度指令値、３０４…ドアトルク指令値、３０５…モータ電流指令値、３０６…反転動作指令、３０７…反転回数、３０８…ドア位置、３０９…ドア速度帰還値、３１０…過負荷検出信号、３１１…ドア開釦点滅信号、３１２…ドア閉釦点滅信号、３１３…モータ電流、３１４…ドア閉釦押下信号、３１５…ドア開釦押下信号。
【図１】
0005689040.tif 000002
【図２】
0005689040.tif 000003